(57)【要約】【課題】  本考案は、施療者の背部表面に沿って柔軟にマッサージ可能なマッサージ装置を提供する。【解決手段】  被施療者の身体部位をマッサージするマッサージ機構４と該施療部を往復動させる往復動機構３を備えたマッサージ装置において、基台２上を往復動する往復動部３ｂに回転可能に連結されたマッサージ機４の上端部側が、該往復動部３ｂが往復動レール３ａ上を往復動するのに従って、前記基台２に設けられた波型凹状レール６の波型に沿って上下動する。【選択図】図１
0003200162.tif 000002
【実用新案登録請求の範囲】
【請求項１】
被施療者の身体部位をマッサージするマッサージ機構と該施療部を往復動させる往復動機構を備えたマッサージ装置において、
前記往復動機構は、往復動レールと、該往復動レールに沿って往復動する往復動部とを備え、
前記マッサージ機構は、前記往復動部の表面に上下方向に回転可能に軸支されたマッサージ機本体及び該マッサージ機本体の表面に設けられた施療部からなるマッサージ機と、前記マッサージ機本体の左右側面側に設けられた一対のローラーと、該一対のローラーが走行する左右一対の波型凹状レールとを備え、
前記マッサージ機が前記往復動部に従動するに伴って前記波型凹状ローラーの波型に沿って上下動することを特徴とするマッサージ装置。
【請求項２】
前記波型凹状レールの溝幅が前記ローラーの径より広く形成されていることを特徴とする請求項１に記載のマッサージ装置。
【請求項３】
前記往復動部に回転可能に軸支した前記マッサージ機の上下動に対して緩衝材を設けたことを特徴とする請求項２に記載のマッサージ装置。
【考案の詳細な説明】
【技術分野】
【０００１】
本考案は、上下に移動可能なマッサージ機構を備えたマッサージ装置に関する。
【背景技術】
【０００２】
従来、マッサージ椅子やマッサージマット等の背凭れ部に内蔵されるマッサージ装置として、該背凭れ部を往復動するマッサージ装置が提供されている。
【０００３】
例えば、被施療者の身体を支持する身体支持部と、被施療部位をマッサージするマッサージ機構と、マッサージ機構を身体の長手方向に移動させるガイド機構を備え、該ガイド機構が、前記身体支持部の被施療部当接面に沿って設けられた可撓性を有する板状のガイド部材等からなり、前記マッサージ機構が該ガイド部材に沿って自在に移動可能に構成されることにより、マッサージ機構を移動させるガイド機構を簡単な構造で形成でき、軽量及び低コストのマッサージ機が提供されている（特許文献１）。
【０００４】
また、マッサージチェアの背凭れ部に左右一対の凹状レール部材を設置し、該凹状レール部材に沿って前記按摩装置が前後に移動する按摩機の按摩装置が提供されている（特許文献２）。
【先行技術文献】
【特許文献】
【０００５】
【特許文献１】特開２０１４−１８４６４号公報
【特許文献２】実用新案登録第３０９９２９７号公報
【考案の概要】
【考案が解決しようとする課題】
【０００６】
しかしながら、前記特許文献１に記載の技術では、身体の長手方向に移動させるガイド機構に沿ってマッサージ機構が移動するため、身体の背部表面のＳ字ラインに柔軟に対応したマッサージを行うことができず、被施療者に違和感を与え、適切なマッサージを行うことができないおそれがあるという問題があった。
【０００７】
また、特許文献２に記載の技術でも同様に、凹状レール部材に沿って按摩装置を前後に移動せざるを得ず、身体の背部表面のＳ字ラインに柔軟に対応したマッサージを行うことができないという問題があった。
【０００８】
そこで、本考案は、施療者の背部表面のＳ字ラインに沿って適切なマッサージを行うことのできるマッサージ装置を提供することを課題とする。
【課題を解決するための手段】
【０００９】
上記課題を解決するために、本考案は次のように構成した。すなわち、本考案に係る請求項１に記載のマッサージ装置は、被施療者の身体部位をマッサージするマッサージ機構と該施療部を往復動させる往復動機構を備えたマッサージ装置において、前記往復動機構は、往復動レールと、該往復動レールに沿って往復動する往復動部とを備え、前記マッサージ機構は、前記往復動部の表面に上下方向に回転可能に軸支されたマッサージ機本体及び該マッサージ機本体の表面に設けられた施療部からなるマッサージ機と、前記マッサージ機本体の左右側面側に設けられた一対のローラーと、該一対のローラーが走行する左右一対の波型凹状レールとを備え、前記マッサージ機が前記往復動部に従動するに伴って前記波型凹状ローラーの波型に沿って上下動することを特徴としている。
【００１０】
また、前記請求項２に記載のマッサージ装置は、前記波型凹状レールの溝幅が前記ローラーの径より広く形成されていることを特徴としている。
【００１１】
さらに、請求項３に記載のマッサージ装置は、前記往復動部に回転可能に軸支した前記マッサージ機の上下動に対して緩衝材を設けたことを特徴としている。
【考案の効果】
【００１２】
本考案に係る請求項１に記載のマッサージ装置によれば、前記マッサージ機構が前記波型凹状レールに沿って往復動するのに伴って上下に揺動することにより、被施療者の背部表面のＳ字ラインに沿った柔軟でバランスのよいマッサージを行うことができ、被施療者に違和感を与えず適切なマッサージを行うことができる。
【００１３】
また、請求項２に記載のマッサージ装置によれば、前記波型凹状レールの溝幅が前記ローラーの径よりも広く形成されていることにより、該溝幅内でマッサージ機構の上下動に幅をもたせることができ、被施療者個々の背部表面の身体的特徴に合わせてより柔軟なマッサージを行うことができる。
【００１４】
さらに、請求項３に記載のマッサージ装置によれば、前記マッサージ機の上下動に対して緩衝材を設けたことにより、該マッサージ機の上下動にクッション性を持たせることができ、被施療者個々の背部表面の身体的特徴に合わせてより適切でかつ柔軟なマッサージを行うことができ、また、被施療者の背部による押圧に対してマッサージ機構及び往復動機構への負担を軽減することができる。
【図面の簡単な説明】
【００１５】
【図１】本考案に係るマッサージ装置を示す斜視図である。
【図２】該マッサージ装置１を示す平面図である。
【図３】該マッサージ装置を示す断面図である。
【図４】該マッサージ装置を示す拡大斜視図である。
【図５】該マッサージ装置の使用状態を示す図である。
【図６】該マッサージ装置の他の実施例を示す断面図である。
【考案を実施するための形態】
【００１６】
以下、図面に基づいて本考案を具体的に説明する。まず、図１は、本考案に係るマッサージ装置１を示す斜視図であり、図２は、該マッサージ装置１を示す平面図であり、図３は、該マッサージ装置１を示すＡ−Ａ断面図である。当該マッサージ装置１は、中央で長手方向に陥没した溝部が形成された基台２と、該基台２の溝部の底面端部で長手方向に取付けられた往復動レール３ａ及び該往復動レール３ａ上を往復動するように構成された往復動部３ｂからなる往復動機構３と、該往復動部３ｂの表面に上下方向に回転可能に軸支されたマッサージ機本体４ａ及び該マッサージ機本体４ａの表面で回転可能に取り付けられた施療部４ｂとからなるマッサージ機４、前記マッサージ機本体４ａの左右側面側に設けられた一対のローラー５及び該一対のローラー５が走行する左右一対の波型凹状レール６から構成されるマッサージ機構７とから構成されている。
【００１７】
前記往復動機構３は、前記往復動部３ｂが往復動レール３ａに沿って通常あるラックギア方式により往復動するように構成されている。具体的には図示しないが、該往復動部３ｂには、モータ等の駆動手段が内蔵されており、該駆動手段の回転運動が伝達された歯車にラックギアからなる往復動レール３ａが噛み合うことにより、該往復動部３ａが往復動レール３ａに沿って往復動するように構成されている。なお、当該往復動部３ａにおける往復動の手段は、該ラックギア方式に限られず、例えば、所謂クロスバー方式等、前記基台２の凹部底面上で往復動することができれば、どのような方式を採用してもよい。
【００１８】
前記マッサージ機構７のうち、前記マッサージ機本体４ａは、平面視略Ｔ字型で形成されたハウジングのＴ字の下端部側が前記往復動部３ａの表面に設けられた回転軸３ｃに蝶番状に上下に回転可能に連結されており、該Ｔ字の上端部側が上下に回転移動できる構成となっている。また、本実施例では、前記往復動部３ｂが平面視凹状に形成されており、該凹状の溝部分に前記マッサージ機本体４ａのＴ字の下端部側が嵌まり込むようにして連結されている。
【００１９】
また、該マッサージ機本体４ａは、特に図示しないが、平面視略Ｔ字型のハウジング内に、モータ等の駆動手段と、該駆動手段による回転運動を前記施療部４ｂに伝達する歯車からなる伝達手段とを備えている。該施療部４ｂは、前記ハウジングの表面両端に円盤状に形成された一対の回転台４ｃを設け、該回転台４ｃ上面の偏心位置に夫々一対の揉み玉４ｄを備えて構成されている。前記駆動手段を駆動させることにより、その回転運動が前記回転台４ｃに伝達され、該円盤状の回転台４ｃが回転するのに伴って該回転台４ｃ上面の偏心に位置する一対の揉み玉４ｄも回転する。なお、当該マッサージ機構７のうちマッサージ機本体４ａ及び施療部４ｂは、これに限られるものではなく、その他揉み玉方式又はローラー方式等のマッサージ機に変更可能である。
【００２０】
前記一対のローラー５は、前記マッサージ機本体４ａの左右側面側でＴ字の上部側両端から突設された軸芯に夫々回転可能に設けられている。従って、前記マッサージ機本体４ａのＴ字上端部側が上下に回転移動するのに伴って、該Ｔ字の上部側両端に設けられた一対のローラーも上下に移動する。
【００２１】
前記左右一対の波型凹状レール６は、前記基台２の溝部長手方向の両縁端に夫々該凹状の開口側が夫々前記基台２の中央方向側を向くように並行して設けられ、夫々凹状内に前記左右一対のローラー５が嵌まり込んで走行できるように構成され、また、該波型凹状レール６の波型は、一般的な身体の背部におけるＳ字ラインに沿うような形状で形成されている。
【００２２】
従って、前記往復動機構３により往復動部３ｂを基台２の溝部内で往復動させることにより、前記波型凹状レール６の波型に沿って前記ローラー５が走行するとともに、該ローラー５の上下移動に伴って前記マッサージ機４も往復動させながら上下動させることができる。
【００２３】
かかる構成により、前記マッサージ機４が前記波型凹状レール５に沿って往復動するのに伴って上下に揺動することにより、被施療者の背部表面のＳ字ラインに沿ってバランスのよいマッサージを行うことができる。また、該マッサージ機４の一対の揉み玉４ｄが被施療者の背部の表面に当接し、往復動及び上下動しながら回転することにより、さらに効果的な揉みほぐし効果を得ることができる。
【００２４】
図４は、前記マッサージ機構７におけるローラー５及び波型凹状レール６の構造を示す拡大斜視図である。前記波型凹状レール６において、該凹状の溝幅は、前記ローラー５の径より広く形成されている。当該溝幅の広さは、該溝幅内でのローラー５の上下動により、前記マッサージ機４の上下動に幅を持たせることができればよく、また、前記ローラー５の径との関係で、該ローラー５が波型凹状レール６から脱線しない程度の溝幅の広さで形成する。
【００２５】
これにより、該波型凹状レール６の溝幅内でのマッサージ機構の上下動に幅をもたせることができ、被施療者個々の背部表面の身体的特徴に合わせてより柔軟なマッサージを行うことができる。
【００２６】
また、図１及び２に示すように、前記往復動部３ｂ及びマッサージ機本体４ａを連結した回転軸３ｃには、緩衝材としてねじりバネαが設けられている。該緩衝材は、このようなねじりバネαを回転軸３ｃに取付けるだけでなく、マッサージ機本体４ａ及び往復動機構３の間に板バネを設ける等、その他マッサージ機４の上下動にクッション性を保持できればどのような構成であってもよい。
【００２７】
該緩衝材を前記マッサージ機４の上下動に対して設けたことにより、該マッサージ機４の上下動に対して前記波型凹状レール６の溝幅内でのクッション性を持たせることができ、被施療者個々の背部表面の身体的特徴に合わせてより適切でかつ柔軟なマッサージを行うことができる。また、被施療者の背部による押圧に対してマッサージ機構７及び往復動機構３への負担を軽減することができる。
【００２８】
図５は、該マッサージ装置１の使用状態を示す図である。該マッサージ装置１は、ソファ８又はマッサージチェア等の背凭れ部、クッション及び敷マット等に内蔵して用いることができ、被施療者はソファ８等に座ったり、敷マット上で仰向けになったりしながらリラックスして該マッサージ装置１のマッサージを行うことができる。
【００２９】
また、前記実施例では、基台２に往復動機構３及びマッサージ機構７を設けたが、このようにソファ８等の背凭れ部や敷マット等に該マッサージ装置１を備える際には、前記基台２を設けず、直接ソファ８の背凭れ部等に往復動機構３及びマッサージ機構７を設けてもよく、また、これらソファ８の背凭れ部等に内蔵せずとも、前記実施例のマッサージ装置１を布等でカバーし、そのまま床面や敷マットに載置して仰向けで使用してもよい。
【００３０】
また、前記波型凹状レール６における波型の高さを種々変更してもよい。例えば、図６に示すように、波型凹状レール６の図中右側の波型を前記図３で示した該波型よりも高くする、また、図中左側の波型よりも高くするか同程度の高さとすることにより、前記図５で示すソファ８等にマッサージ装置１を取付けた際、或いは、前記仰向けで使用する際、前記揉み玉４ｄがしっかりと被施療者の肩部に当接し、より強く肩部のマッサージを行うことができる。このように、該波型凹状レール６の波型のうねりの高さを種々変更することにより、被施療者に対するマッサージの強弱を変更させることもできる。
【産業上の利用可能性】
【００３１】
前記実施例の本考案に係るマッサージ装置１は、被施療者の背部のマッサージを対象としたが、マッサージ機４や波型凹状レール６の形状を変更することにより、被施療者の脚部等、その他被施療者の曲面を有する身体部位のマッサージをも対象とすることができる。
【符号の説明】
【００３２】
１    マッサージ装置
２    基台
３    往復動機構
３ａ  往復動レール
３ｂ  往復動部
３ｃ  回転軸
４    マッサージ機
４ａ  マッサージ機本体
４ｂ  施療部
４ｃ  回転台
４ｄ  揉み玉
５    ローラー
６    波型凹状レール
７    マッサージ機構
８    ソファ
α    バネ
【図１】
0003200162.tif 000003
【図２】
0003200162.tif 000004
【図３】
0003200162.tif 000005
【図４】
0003200162.tif 000006
【図５】
0003200162.tif 000007
【図６】
0003200162.tif 000008
【手続補正書】
【提出日】平成27年8月4日(2015.8.4)
【手続補正１】
【補正対象書類名】実用新案登録請求の範囲
【補正対象項目名】請求項１
【補正方法】変更
【補正の内容】
【請求項１】
被施療者の身体部位をマッサージするマッサージ機構と該施療部を往復動させる往復動機構を備えたマッサージ装置において、
前記往復動機構は、往復動レールと、該往復動レールに沿って往復動する往復動部とを備え、
前記マッサージ機構は、前記往復動部の表面に上下方向に回転可能に軸支されたマッサージ機本体及び該マッサージ機本体の表面に設けられた施療部からなるマッサージ機と、前記マッサージ機本体の左右側面側に設けられた一対のローラーと、該一対のローラーが走行する左右一対の波型凹状レールとを備え、
前記マッサージ機が前記往復動部に従動するに伴って前記波型凹状レールの波型に沿って上下動することを特徴とするマッサージ装置。
【手続補正２】
【補正対象書類名】実用新案登録請求の範囲
【補正対象項目名】請求項３
【補正方法】変更
【補正の内容】
【請求項３】
前記往復動部に回転可能に軸支した前記マッサージ機の上下動に対して、該回転可能に軸支する回転軸に緩衝材としてねじりバネを設け、該ねじりバネの両端を夫々往復動部及びマッサージ機本体に固定したことを特徴とする請求項２に記載のマッサージ装置。
【手続補正３】
【補正対象書類名】明細書
【補正対象項目名】０００９
【補正方法】変更
【補正の内容】
【０００９】
上記課題を解決するために、本考案は次のように構成した。すなわち、本考案に係る請求項１に記載のマッサージ装置は、被施療者の身体部位をマッサージするマッサージ機構と該施療部を往復動させる往復動機構を備えたマッサージ装置において、前記往復動機構は、往復動レールと、該往復動レールに沿って往復動する往復動部とを備え、前記マッサージ機構は、前記往復動部の表面に上下方向に回転可能に軸支されたマッサージ機本体及び該マッサージ機本体の表面に設けられた施療部からなるマッサージ機と、前記マッサージ機本体の左右側面側に設けられた一対のローラーと、該一対のローラーが走行する左右一対の波型凹状レールとを備え、前記マッサージ機が前記往復動部に従動するに伴って前記波型凹状レールの波型に沿って上下動することを特徴としている。
【手続補正４】
【補正対象書類名】明細書
【補正対象項目名】００１１
【補正方法】変更
【補正の内容】
【００１１】
さらに、請求項３に記載のマッサージ装置は、前記往復動部に回転可能に軸支した前記マッサージ機の上下動に対して、該回転可能に軸支する回転軸に緩衝材としてねじりバネを設け、該ねじりバネの両端を夫々往復動部及びマッサージ機本体に固定したことを特徴としている。
【手続補正５】
【補正対象書類名】明細書
【補正対象項目名】００１４
【補正方法】変更
【補正の内容】
【００１４】
さらに、請求項３に記載のマッサージ装置によれば、前記マッサージ機の上下動に対して、緩衝材としてねじりバネを設けたことにより、該マッサージ機の上下動にクッション性を持たせることができ、被施療者個々の背部表面の身体的特徴に合わせてより適切でかつ柔軟なマッサージを行うことができ、また、被施療者の背部による押圧に対してマッサージ機構及び往復動機構への負担を軽減することができる。